(57)【特許請求の範囲】
【請求項１】
複数の振動子を備えた超音波探触子を用いて被検体に焦点を結ばない非収束の超音波ビームを送信する送信イベントを複数回繰り返すとともに、各送信イベントに同期して被検体から反射超音波を受波し、受波した反射超音波に基づいて生成される複数の音響線信号を合成して合成音響線信号を得る超音波信号処理装置であって、
超音波ビームの進行方向を送信イベントごとに変更しながら、被検体内に超音波ビームを送信イベントごとに前記超音波探触子に送信させる送信部と、
各送信イベントに同期して、前記超音波探触子が前記被検体内の対象領域から受波した反射超音波に基づいて、前記超音波探触子の振動子各々に対する受信信号列を生成し、送信イベントごとに前記受信信号列を整相加算して音響線信号を生成する受信処理部と、
合成音響線信号に係る最初の送信イベントから最新の送信イベントまでの前記音響線信号を前記対象領域内の各観測点に基づいて合成し中間合成音響線信号を生成する合成部と、
前記中間合成音響線信号のエネルギー値から評価値を算出し、前記評価値に基づいて次の送信イベントを行うか否かを判断する評価部と、
前記評価部が次の送信イベントを行わないと判断したとき、前記中間合成音響線信号を合成音響線信号として出力する出力部と
を備えることを特徴とする超音波信号処理装置。
【請求項２】
前記送信部は、連続する２回の送信イベントにおいて、２つの超音波ビームの進行方向が、前記超音波探触子の振動子が並ぶ向きの法線方向に対して互いに逆側に延びるように超音波ビームの送信を行う
請求項１に記載の超音波信号処理装置。
【請求項３】
前記送信部は、送信イベントの順に、超音波ビームの進行方向と前記超音波探触子の振動子が並ぶ向きの法線方向とがなす角である送信角度の絶対値が大きく、または同一となるように超音波ビームの送信を行う
請求項１または２に記載の超音波信号処理装置。
【請求項４】
超音波ビームの進行方向と前記超音波探触子の振動子が並ぶ向きの法線方向とがなす角である送信角度を送信イベントごとに規定する送信角度列を記憶する送信角度記憶部をさらに備える
ことを特徴とする請求項１から３のいずれか１項に記載の超音波信号処理装置。
【請求項５】
前記送信角度記憶部は、２以上の送信角度列を記憶し、
前記送信部は、前記対象領域の断面積、前記対象領域が前記被検体において占める位置、前記対象領域に含まれる組織の種類、のうち１以上に基づき、前記送信角度記憶部が記憶している送信角度列から１つの送信角度列を選択する
ことを特徴とする請求項４に記載の超音波信号処理装置。
【請求項６】
前記評価部は、送信角度が０度であるときの音響線信号のエネルギー値で、前記中間合成音響線信号のエネルギー値の変化量を正規化した値を前記評価値として算出し、前記評価値が所定の閾値以下であるとき、次の送信イベントを行わないと判断する
ことを特徴とする請求項１から５のいずれか１項に記載の超音波信号処理装置。
【請求項７】
前記評価部は、所定範囲における前記中間合成音響線信号の振幅値の合計を前記中間合成音響線信号のエネルギー値とする
ことを特徴とする請求項１から６のいずれか１項に記載の超音波信号処理装置。
【請求項８】
前記評価部は、所定範囲における前記中間合成音響線信号を２次元フーリエ変換して得たフーリエデータにおけるスペクトルの総和を前記中間合成音響線信号のエネルギー値とする
ことを特徴とする請求項１から６のいずれか１項に記載の超音波信号処理装置。
【請求項９】
前記評価部は、所定範囲における前記中間合成音響線信号から深さ方向の１次元音響線信号を生成し、前記１次元音響線信号を深さ方向に１次元フーリエ変換して得たフーリエデータにおけるスペクトルの総和を前記中間合成音響線信号のエネルギー値とする
ことを特徴とする請求項１から６のいずれか１項に記載の超音波信号処理装置。
【請求項１０】
前記評価部は、前記フーリエデータが含むすべての周波数成分のスペクトルを前記中間合成音響線信号のエネルギー値の算出に用いる
ことを特徴とする請求項８または９に記載の超音波信号処理装置。
【請求項１１】
前記評価部は、前記フーリエデータが含む周波数成分のうち、所定の周波数帯に含まれる成分のスペクトルを前記中間合成音響線信号のエネルギー値の算出に用いる
ことを特徴とする請求項８または９に記載の超音波信号処理装置。
【請求項１２】
前記評価部は、前記所定範囲を前記対象領域の全域とする
ことを特徴とする請求項７から１１のいずれか１項に記載の超音波信号処理装置。
【請求項１３】
前記評価部は、前記所定範囲を前記対象領域の一部である着目領域とする
ことを特徴とする請求項７から１１のいずれか１項に記載の超音波信号処理装置。
【請求項１４】
前記評価部が次の送信イベントを行わないと判断したとき、前記合成音響線信号の生成のために行った送信イベントの回数に応じて、次の合成音響線信号に係る送信イベントの開始時刻を変更する
ことを特徴とする請求項１から１３のいずれか１項に記載の超音波信号処理装置。
【請求項１５】
前記評価部が次の送信イベントを行わないと判断したとき、前記合成音響線信号の生成のために行った送信イベントの回数を保持する制御部をさらに備え、
前記制御部は、続く１回以上の合成音響線信号の生成において、保持している前記送信イベントの回数だけ前記送信部に超音波ビームを送信させ、前記評価部の判断にかかわらず、前記送信部に送信させた超音波ビームに対応する音響線信号を全て合成した合成音響線信号を前記出力部に出力させる
ことを特徴とする請求項１から１４のいずれか１項に記載の超音波信号処理装置。
【請求項１６】
前記制御部は、送信イベントの回数を保持した後、続く所定回数の合成音響線信号の生成において、保持している前記送信イベントの回数だけ前記送信部に超音波ビームを送信させ、前記評価部の判断にかかわらず、前記送信部に送信させた超音波ビームに対応する音響線信号を全て合成した合成音響線信号を前記出力部に出力させ、さらに次の合成音響線信号の生成において、前記評価部に次の送信イベントを行うか否かを判断させる
ことを特徴とする請求項１５に記載の超音波信号処理装置。
【請求項１７】
ユーザからの入力を受け付ける入力部をさらに備え、
前記制御部は、前記入力部がユーザから送信回数の決定すべき指示を受け付けた場合に、前記評価部に次の送信イベントを行うか否かを判断させる
ことを特徴とする請求項１５または１６に記載の超音波信号処理装置。
【請求項１８】
前記送信部は、波面が進行方向と直交する平面波の超音波ビームを送信する
ことを特徴とする請求項１から１７のいずれか１項に記載の超音波信号処理装置。
【請求項１９】
超音波探触子と、請求項１から１８のいずれか１項に記載の超音波信号処理装置とを備えることを特徴とする超音波診断装置。
【請求項２０】
複数の振動子を備えた超音波探触子を用いて被検体に焦点を結ばない非収束の超音波ビームを送信する送信イベントを複数回繰り返すとともに、各送信イベントに同期して被検体から反射超音波を受波し、受波した反射超音波に基づいて生成される複数の音響線信号を合成して合成音響線信号を得る超音波信号処理方法であって、
超音波ビームの進行方向を送信イベントごとに変更しながら、被検体内に超音波ビームを送信イベントごとに前記超音波探触子に送信させ、
各送信イベントに同期して、前記超音波探触子が前記被検体内の対象領域から受波した反射超音波に基づいて、前記超音波探触子の振動子各々に対する受信信号列を生成し、送信イベントごとに前記受信信号列を整相加算して音響線信号を生成し、
合成音響線信号に係る最初の送信イベントから最新の送信イベントまでの前記音響線信号を前記対象領域内の各観測点に基づいて合成して中間合成音響線信号を生成し、
前記中間合成音響線信号のエネルギー値から評価値を算出し、前記評価値に基づいて次の送信イベントを行うか否かを判断し、
次の送信イベントを行わないと判断したとき、前記中間合成音響線信号を合成音響線信号として出力する
ことを特徴とする超音波信号処理方法。
【発明の詳細な説明】
【技術分野】
【０００１】
本開示は、超音波信号処理装置における超音波信号処理方法、及び、それを備えた超音波診断装置に関する。
【背景技術】
【０００２】
超音波を用いた被検体の検査手法としては、「被検体の一点または領域で焦点を結ぶような波面形状の送信ビーム（以下、「焦点波ビーム」と呼ぶ）」を用いるものと、「焦点を結ばない波面形状の送信ビーム（以下、「非焦点波ビーム」と呼ぶ）」を用いるものとがある。
焦点波ビームを用いる検査手法としては、フォーカスイメージング（ＦＩ；Ｆｏｃｕｓ  Ｉｍａｇｉｎｇ）が知られている。フォーカスイメージングでは、焦点を中心に空間分解能を高くすることができる半面、時間解像度（フレームレート）の向上が難しい。これは、フォーカスイメージングでは、空間分解能が焦点からの距離に依存するため、１回の超音波の送受信（以下、「送信イベント」と呼ぶ）において音響線信号が得られる範囲が狭く、１つの超音波画像を生成するための送信イベント回数が多くなるためである。
【０００３】
一方、非焦点波ビームを用いる検査手法としては、平面波や拡散波、非球面波を用いた手法があり、平面波を用いた平面波イメージング（ＰＷＩ；Ｐｌａｎｅ  Ｗａｖｅ  Ｉｍａｇｉｎｇ）が知られている。非焦点波ビームを用いる場合、１回の送信イベントで広範囲の領域から音響線信号を取得することができ、時間解像度を向上させることができる。反面、超音波ビームの空間密度がフォーカスイメージングと比べて低く、空間解像度の向上が難しい。そこで、空間解像度の向上のために、ＰＷＩ合成開口法が用いられている。
【０００４】
ＰＷＩ合成開口法では、非焦点波ビームの進行方向を切り替える送信ビームフォーミングを行う。そして、非焦点波ビームの進行方向のそれぞれに対して送信イベントを行い、反射超音波に基づく受信信号に受信ビームフォーミングを行って音響線信号を得る。そして、非焦点波ビームの進行方向が異なる複数の音響線信号を合成して合成音響線信号を生成する。
【先行技術文献】
【特許文献】
【０００５】
【特許文献１】特開２００６−５１３５５号公報
【特許文献２】特許第４１１４８３８号公報
【発明の概要】
【発明が解決しようとする課題】
【０００６】
ＰＷＩ合成開口法では、一般に、合成音響線信号を生成する音響線信号の合成数、すなわち、送信イベントの数が増えるほど合成音響線信号の空間解像度が向上する。一方で、１つの超音波画像を生成するために必要な送信イベント数が増加するため、時間解像度の向上が難しくなる。
本発明は上記課題に鑑みてなされたものであり、非焦点波ビームを用いた合成開口法において、空間解像度と時間解像度とを適応的に両立させる超音波信号処理装置、および、それを用いた超音波診断装置を提供することを目的とする。
【課題を解決するための手段】
【０００７】
本発明の一態様に係る超音波信号処理装置は、複数の振動子を備えた超音波探触子を用いて被検体に焦点を結ばない非収束の超音波ビームを送信する送信イベントを複数回繰り返すとともに、各送信イベントに同期して被検体から反射超音波を受波し、受波した反射超音波に基づいて生成される複数の音響線信号を合成して合成音響線信号を得る超音波信号処理装置であって、超音波ビームの進行方向を送信イベントごとに変更しながら、被検体内に超音波ビームを送信イベントごとに前記超音波探触子に送信させる送信部と、各送信イベントに同期して、前記超音波探触子が前記被検体内の対象領域から受波した反射超音波に基づいて、前記超音波探触子の振動子各々に対する受信信号列を生成し、送信イベントごとに前記受信信号列を整相加算して音響線信号を生成する受信処理部と、合成音響線信号に係る最初の送信イベントから最新の送信イベントまでの前記音響線信号を前記対象領域内の各観測点に基づいて合成し中間合成音響線信号を生成する合成部と、前記中間合成音響線信号のエネルギー値から評価値を算出し、前記評価値に基づいて次の送信イベントを行うか否かを判断する評価部と、前記評価部が次の送信イベントを行わないと判断したとき、前記中間合成音響線信号を合成音響線信号として出力する出力部とを備えることを特徴とする。
【発明の効果】
【０００８】
本発明の一態様に係る超音波信号処理装置、および、それを用いた超音波信号処理装置によれば、音響線信号の合成数と合成音響線信号の品質との関係により送信回数を適用的に決定する。従って、一定水準以上の空間解像度を維持しながら送信回数を最小限に抑えることができ、空間解像度と時間解像度とを共に高くすることができる。
【図面の簡単な説明】
【０００９】
【図１】実施の形態１に係る超音波診断システム１０００の機能ブロック図である。
【図２】実施の形態１に係る超音波信号処理装置１１０の機能ブロック図である。
【図３】実施の形態１に係る超音波診断装置１００の動作を示すフローチャートである。
【図４】実施の形態１に係る評価部１５５の動作を示すフローチャートである。
【図５】評価値と送信回数の関係を示す模式図である。
【図６】超音波ビームの進行方向と空白領域との関係を示す模式図である。
【図７】変形例１に係る評価部の動作を示すフローチャートである。
【図８】変形例２に係る評価部の動作を示すフローチャートである。
【図９】実施の形態２に係る超音波信号処理装置２１０の機能ブロック図である。
【図１０】実施の形態２に係る超音波診断装置の動作を示すフローチャートである。
【図１１】実施の形態２に係る送信回数決定動作を示すフローチャートである。
【図１２】実施の形態２に係る画像取得動作を示すフローチャートである。
【図１３】変形例３に係る超音波診断装置の動作を示すフローチャートである。
【図１４】フレームレートと動作の関係を示すタイムチャートである。
【図１５】合成音響線信号のパルス幅と合成回数との関係を示す模式図である。
【発明を実施するための形態】
【００１０】
≪発明を実施するための形態に至った経緯≫
発明者は、合成開口法を用いる超音波信号処理装置および超音波診断装置において、空間解像度と時間解像度を両立させるために各種の検討を行った。
ＰＷＩ合成開口法では、進行方向が異なる複数の平面波を送出し、それぞれの平面波に対する反射超音波に基づく音響線信号を生成し、複数の音響線信号を合成する。これにより、次の２つの効果が得られる。第１に、合成後の音響線信号は、空間解像度が向上する。これは、複数の音響線信号において超音波の進行方向が異なっているため、方位分解能の向きと距離分解能の向きは、音響線信号ごとに異なっている。したがって、これらを合成することにより、２次元的に空間解像度が向上することになる。第２に、被検体が異方性を有していても空間解像度の低下を抑止できる。被検体内に超音波を強く反射する構造物が存在した場合、構造物の超音波の進行方向側の近傍領域では、構造物の影となって平面波が十分に届かず、反射超音波の強度が低下して音響線信号の品質が低下する。しかしながら、進行方向が異なる複数の平面波を送出し、それぞれの平面波に対する反射超音波に基づく音響線信号を生成することで、構造物の影となる領域は音響線信号ごとに異なる。言い換えれば、１の音響線信号では構造物の影となっている領域について、構造物の影となっていない音響線信号が存在する。したがって、これらを合成することで、被検体が異方性を有していても空間解像度の低下を抑止できる。
【００１１】
一方で、１つの超音波画像を生成するために必要な送信イベント数が増加することは、必ずしも好ましいとは限らない。第１に、１つの超音波画像を生成するための所要時間が増加することで、時間解像度（フレームレート）の向上が難しくなる。これにより、超音波診断装置のリアルタイム性が損なわれることがある。加えて、超音波探触子や被写体内に動きがあった場合、空間解像度が向上せず、却って低下する場合がある。すなわち、合成に用いる音響線信号を取得している期間中に超音波探触子や組織の動きがあった場合、複数の音響線信号で撮像対象物の状態が一致せず、空間解像度の向上が見込めないばかりか、空間解像度の低下が起こりうる。第２に、空間解像度の向上度合は、送信イベントの増加に比例しないことである。これは、合成音響線信号の空間解像度向上における音響線信号１つ当たりの寄与度は、合成に用いる音響線信号の数にほぼ反比例し、空間解像度を向上させるために必要な音響線信号の数が指数関数的に増加するからである。言い換えれば、合成に用いる音響線信号の数を同じだけ増やしても、合成に用いる音響線信号の総数が増えるほど空間解像度の向上度は低下する。図１５に、送信イベント回数と合成音響線信号の空間解像度（合成音響線信号におけるパルスの半値幅）との関係を示す。図１５では、合成音響線信号の空間解像度は送信イベント回数が６〜８回程度で最大（半値幅が最小）となり、送信イベント数がそれ以上に増加すると、却って空間解像度の低下が発生している。これは、合成数５を超えた程度で、それ以上合成数を増加させても空間解像度の向上がほとんど見込めなくなっているのに対し、超音波送受信に用いた時間の増加により超音波探触子の動き等による空間解像度の低下が発生していることが考えられるからである。
【００１２】
そこで、発明者は、上記の問題に鑑みて、合成音響線信号の空間解像度が十分となる範囲で送信イベント数を減少させる技術について検討を行い、実施の形態に係る超音波信号処理方法及びそれを用いた超音波診断装置に想到するに至ったものである。
以下、実施の形態に係る超音波信号処理装置、および、それを用いた超音波診断装置について図面を用いて詳細に説明する。
【００１３】
≪実施の形態１≫
＜全体構成＞
以下、実施の形態１に係る超音波診断装置１００について、図面を参照しながら説明する。
図１は、実施の形態１に係る超音波診断システム１０００の機能ブロック図である。図１に示すように、超音波診断システム１０００は、被検体に向けて超音波を送信しその反射波を受信する複数の振動子１０１ａを有する超音波探触子１０１、超音波探触子１０１に超音波の送受信を行わせ超音波探触子１０１からの出力信号に基づき超音波画像を生成する超音波診断装置１００、超音波画像を画面上に表示する表示部１０３を有する。超音波探触子１０１、表示部１０３は、それぞれ、超音波診断装置１００に各々接続可能に構成されている。図１は超音波診断装置１００に、超音波探触子１０１、表示部１０３が接続された状態を示している。なお、超音波探触子１０１と、表示部１０３とは、超音波診断装置１００の内部にあってもよい。
【００１４】
＜超音波診断装置１００の構成＞
超音波診断装置１００は、超音波探触子１０１の複数ある振動子１０１ａのうち、送信又は受信の際に用いる振動子を各々に選択し、選択された振動子に対する入出力を確保する切替部１４０、超音波の送信を行うために超音波探触子１０１の各振動子１０１ａに対して素子駆動信号を生成する超音波送信部１３０、超音波探触子１０１で受信した超音波の反射波に基づき、受信処理を行う超音波受信部１５０、送信角度列保持部１２１を備え、上述した超音波送信部１３０、超音波受信部１５０を制御する制御部１２０とを備える。また、超音波受信部１５０が生成する合成音響線信号に基づいて断層画像（Ｂモード画像）を生成する画像処理部１６０、画像処理部１６０が生成した断層画像を表示部１０３に表示させる表示制御部１７０を備える。
【００１５】
このうち、切替部１４０、超音波送信部１３０、超音波受信部１５０、制御部１２０は、超音波信号処理装置１１０を構成する。
超音波診断装置１００を構成する各要素、例えば、切替部１４０、超音波送信部１３０、超音波受信部１５０、制御部１２０、画像処理部１６０、表示制御部１７０は、それぞれ、例えば、ＦＰＧＡ（Ｆｉｅｌｄ  Ｐｒｏｇｒａｍｍａｂｌｅ  Ｇａｔｅ  Ａｒｒａｙ）、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）などのハードウェア回路により実現される。
【００１６】
なお、本実施の形態に係る超音波診断装置１００は、図１で示した構成の超音波診断装置に限定されない。例えば、切替部１４０がなく、超音波送信部１３０と超音波受信部１５０とが直接、超音波探触子１０１の各振動子１０１ａに接続されていてもよい。また、超音波探触子１０１に超音波送信部１３０と超音波受信部１５０、またその一部などが内蔵される構成であってもよい。これは、本実施の形態に係る超音波診断装置１００に限られず、後に説明する他の実施の形態や変形例に係る超音波診断装置でも同様である。
【００１７】
＜超音波信号処理装置１１０＞
図２に、実施の形態１に係る超音波信号処理装置１１０の詳細な機能ブロック図を示す。
１．超音波送信部１３０
超音波送信部１３０は、切替部１４０を介して超音波探触子１０１と接続され、超音波探触子１０１から超音波の送信を行うために超音波探触子１０１に存する複数の振動子１０１ａの全てもしくは一部の振動子の各々に対する高電圧印加のタイミングを制御する。超音波送信部１３０はパルス生成部１３１、遅延プロファイル生成部１３２、送信ビームフォーマ１３３から構成される。
【００１８】
パルス生成部１３１は、制御部１２０からの送信制御信号に基づき、超音波探触子１０１に存する複数の振動子１０１ａに超音波ビームを送信させるためのパルス状の送信信号を供給する送信処理を行う。パルス生成部１３１は、各振動子を駆動するパルス信号を発生させるためのパルス発生回路である。
遅延プロファイル生成部１３２は、制御部１２０の送信角度列保持部１２１から送信角度列を取得し、超音波探触子１０１から送信される超音波ビームの進行方向が送信角度列に規定された送信角度となるように、各振動子に対する遅延量を規定した遅延プロファイルを生成する。具体的には、遅延プロファイル生成部１３２は、最初に、送信角度列保持部１２１から送信角度列を取得する。送信角度列は、例えば、｛０、−０．２、＋０．２、−０．４、＋０．４、…｝のような、超音波探触子１０１の振動子１０１ａの並ぶ向きの法線方向と、超音波ビームの進行方向とがなす角である送信角度を使用順に並べた数列データである。ここで、送信角度の正負は、振動子列の並びを左右方向と仮定したときに超音波ビームの進行方向が右向きか左向きかを示したものであり、２つの送信角度の差は、それぞれの送信角度が示す２つの超音波ビームの進行方法がなす角度に一致する。例えば、０°の向きを上から下への方向、＋を右側、−を左側とした場合、−２０°の超音波ビームは左下方向に進行し、＋２０°の超音波ビームは、右下方向に進行する。遅延プロファイル生成部１３２は、送信角度列から１つずつ送信角度を取り出し、送信角度に基づいて各振動子に対する遅延量を規定した遅延プロファイルを生成する。
【００１９】
送信ビームフォーマ１３３は、パルス生成部１３１が生成した送信信号と、遅延プロファイル生成部１３２が生成した遅延プロファイルとに基づいて、各振動子１０１ａを駆動させるための素子駆動信号を生成する。具体的には、送信ビームフォーマ１３３は、例えば、クロック発生回路、遅延回路を備えている。クロック発生回路は、超音波ビームの送信タイミングを決定するクロック信号を発生させる回路である。送信ビームフォーマ１３３は、送信信号を遅延プロファイルに基づいて遅延回路により遅延させた素子駆動信号を振動子１０１ａごとに生成する。これにより、送信角度に基づいた進行方向を有する超音波ビームが超音波探触子１０１から照射される。
【００２０】
２．超音波受信部１５０の構成
超音波受信部１５０は、超音波探触子１０１で受波した超音波の反射波に基づき、複数の振動子１０１ａで得られた電気信号から音響線信号を生成する。なお、「音響線信号」とは、ある観測点に対する、整相加算処理がされた後の信号である。超音波受信部１５０は、Ａ／Ｄ変換部、受信ビームフォーマ１５２、合成部１５３、音響線信号保持部１５４、評価部１５５、出力部１５６を備える。
【００２１】
以下、超音波受信部１５０を構成する各部の構成について説明する。
（１）Ａ／Ｄ変換部１５１
Ａ／Ｄ変換部１５１は、切替部１４０を介して超音波探触子１０１と接続され、送信イベントに同期して超音波探触子１０１での超音波反射波の受波から得た電気信号を増幅した後ＡＤ変換した受信信号（ＲＦ信号）を生成する回路である。送信イベントごとに時系列に受信信号を生成し受信ビームフォーマ１５２に出力する。
【００２２】
ここで、受信信号（ＲＦ信号）とは、各振動子にて受波された反射超音波から変換された電気信号を増幅してＡ／Ｄ変換したデジタル信号であり、各振動子にて受波された超音波の送信方向（被検体の深さ方向）に連なった信号の列を形成している。
（２）受信ビームフォーマ１５２
受信ビームフォーマ１５２は、送信イベントに同期して、対象領域内に存する複数の観測点Ｐｊｋ各々について、観測点から各受信振動子Ｒｌが受信した受信信号列を整相加算する。そして、各観測点における音響線信号の列を算出することにより音響線信号を生成する回路である。ここで、対象領域は観測点Ｐｊｋの存在範囲を指定したものであり、例えば、超音波探触子１０１の幅、所定の深さによって規定される長方形上の領域であり、制御部１２０によって定められる。
【００２３】
（３）合成部１５３
合成部１５３は、送信回数だけ音響線信号を合成する。具体的には、受信ビームフォーマ１５２から音響線信号を取得した後、音響線信号保持部１５４に保持されている合成済みの中間合成音響線信号との合成を行う。より具体的には、合成部１５３は、まず、音響線信号保持部１５４から中間合成音響線信号と合成回数とを読み出す。次に、各観測点Ｐｊｋについて、中間合成音響線信号の値ＶＳｊｋと合成回数Ｃとを乗算し、受信ビームフォーマ１５２から取得した音響線信号の値Ｖｊｋを加算する。最後に、各観測点Ｐｊｋについて、得た値（Ｃ×ＶＳｊｋ＋Ｖｊｋ）をＣ＋１で除算して新たな中間合成音響線信号を生成し、合成回数をインクリメント（Ｃ＝Ｃ＋１）する。なお、音響線信号保持部１５４から得た合成回数が０である場合には、合成部１５３は合成回数を１とし、受信ビームフォーマ１５２から取得した音響線信号をそのまま新たな中間合成音響線信号とするとしてもよい。これにより、各観測点Ｐｊｋについて、送信回数１に対応する音響線信号から最新の音響線信号までの値の平均が、中間合成音響線信号となる。なお、合成部１５３は、中間合成音響線信号と音響線信号の両方を音響線信号保持部１５４に記録し、中間合成音響線信号と合成回数とを読み出す代わりに記録済みのすべての音響線信号を読み出して、それらと受信ビームフォーマ１５２から取得した音響線信号との合成を行い、中間合成音響線信号を生成するとしてもよい。合成部１５３は、生成した中間合成音響線信号と合成回数を、音響線信号保持部１５４に保存する。
【００２４】
（４）音響線信号保持部１５４
音響線信号保持部１５４は、送信回数１に対応する音響線信号から最新の音響線信号を合成した中間合成音響線信号と、合成回数とを保持する記憶媒体である。音響線信号保持部１５４は、例えば、ハードディスク、光学ディスク、フラッシュメモリその他の半導体記憶装置、などで実現される。
【００２５】
（５）評価部１５５
評価部１５５は、音響線信号保持部１５４に保持されている中間合成音響線信号が、所定の基準を満たしているか否かの判定を行う。具体的には、評価部１５５は、中間合成音響線信号に基づいて、評価値を算出し、評価値が閾値を下回っているか否かを判定する。
評価値は、中間合成音響線信号のエネルギーＥiに基づいて算出される。以下、まずはエネルギーＥｉの算出方法について説明し、その後、評価値の算出方法を説明する。
【００２６】
まず、評価部１５５は、音響線信号保持部１５４に保持されている中間合成音響線信号を取得する。そして、エネルギーＥiの算出対象となる関心領域を設定する。ここでは、対象領域の全域を関心領域とする。次に、関心領域内の観測点Ｐｊｋについて、中間合成音響線信号の振幅値Ａｊｋを取得する。そして、全ての観測点Ｐｊｋについての中間合成音響線信号の振幅値Ａｊｋの絶対値を合計した値をエネルギーＥiとする。評価部１５５は、算出したエネルギーＥiを音響線信号保持部１５４に保存する。なお、評価部１５５は、中間合成音響線信号の振幅値Ａｊｋの絶対値に替えて、例えば、中間合成音響線信号の振幅値Ａｊｋの２乗値を用いてもよい。
【００２７】
次に評価値の算出方法について説明する。評価部１５５は、１つ前の送信イベントに係るエネルギーＥi-1と、最初の送信イベントに係るエネルギーＥ1とを取得する。次に、以下のように、評価値Ｋiを算出する。
Ｋi＝（Ｅi−Ｅi-1）／Ｅ1
すなわち、評価値Ｋiは、最初の送信イベントに係るエネルギーＥ1を基準（１００％）とした場合における、ｉ番目の音響線信号が中間合成音響線信号にもたらしたエネルギーの変化量である。
【００２８】
最後に、評価部１５５は、算出した評価値Ｋiが閾値を下回っているか否かを判定する。閾値は、例えば、７０％〜９０％程度が好適であり、ここでは８０％を用いる。評価部１５５は、評価値Ｋiが閾値を下回っている場合は、出力部１５６に中間合成音響線信号を合成音響線信号として出力するよう指示する。
（６）出力部１５６
出力部１５６は、中間合成音響線信号が所定の基準を満たしていると評価部１５５が判定した場合に、音響線信号保持部１５４に保持されている中間合成音響線信号を合成音響線信号として出力し、音響線信号保持部１５４に保持されている中間合成音響線信号と合成回数を消去する。なお、出力部１５６は、中間合成音響線信号を消去せず、合成回数のみを消去してもよい。
【００２９】
３．制御部１２０
制御部１２０は、送信角度列保持部１２１を備えており、超音波ビームの進行方向を変化させながら、超音波ビームの送信と、超音波ビームに起因する反射超音波の受信処理とを、それぞれ、超音波送信部１３０と超音波受信部１５０とに行わせる。具体的には、制御部１２０は、以下の動作を行う。制御部１２０は、送信角度列保持部１２１から、送信角度列を読み出す。次に、送信角度列の１番目の送信角度に基づいて、超音波送信部１３０に超音波ビームの送信を行わせ、続いて超音波受信部１５０に反射超音波の受信処理とを行わせる。そして、制御部１２０は、超音波受信部１５０から送信回数を受け取らなかった場合は、続いて２番目の送信角度に基づいて、超音波送信部１３０に超音波ビームの送信を行わせ、続いて超音波受信部１５０に反射超音波の受信処理とを行わせる。同様に、制御部１２０は、送信回数を受け取らなかった場合は、次の送信角度に基づく超音波ビームの送受信を行わせる。一方、制御部１２０は、超音波受信部１５０から送信回数を受け取った場合は、その送信が当該フレームに係る最後の超音波ビームの送受信であるとし、所定のフレームレートに基づき、次の合成音響線信号を生成するための第１の送信イベントを開始する。
【００３０】
４．切替部１４０
切替部１４０は、超音波送信部１３０と超音波探触子１０１の振動子１０１ａ、および、超音波探触子１０１の振動子１０１ａと超音波受信部１５０とを接続する回路である。切替部１４０は、超音波送信部１３０からの素子駆動信号のそれぞれが対応する振動子１０１ａに印可させるよう超音波ビーム送信時に超音波送信部１３０と超音波探触子１０１の振動子１０１ａとを接続する。また、切替部１４０は、受信処理時に、反射超音波を受信する振動子１０１ａと超音波受信部１５０とを接続する。
【００３１】
＜超音波診断装置１００のその他の構成＞
画像処理部１６０は、超音波受信部１５０の出力部１５６が出力する合成音響線信号に対し、直交座標系への変換と、包絡線検波と対数圧縮とによる輝度変換と、を行って、Ｂモード画像に変換する回路である。
表示制御部１７０は、画像処理部１６０が生成した最新のＢモード画像を表示部１０３に表示させる回路である。
【００３２】
＜動作＞
以上の構成からなる超音波診断装置１００の動作について説明する。図３は、超音波診断装置１００の動作を示すフローチャートである。
まず、ステップＳ１０において、超音波送信部１３０は送信角度列保持部１２１から送信角度列を取得する。ここで、取得された送信角度列は、｛０、−５、＋５、−１０、＋１０、−１５、＋１５、…、−４０、＋４０｝であるとする。
【００３３】
次に、送信回数カウンタｉを１に初期化し（ステップＳ２１）、ｉ番目の送信角度を用いて対象領域に超音波ビームを送信する（ステップＳ２２）。ここではｉ＝１であるので、１番目の送信角度、すなわち０°を送信角度として用いる。超音波送信部１３０は、図５に示すように、全ての振動子１０１ａを同時に駆動させるような素子駆動信号を生成し、超音波探触子１０１は、振動子１０１ａの並ぶ方向（以下、「素子列方向」と呼ぶ）と直交する向きに超音波ビームを送信する。すなわち、超音波ビームの波面は、振動子１０１ａの並ぶ方向と平行となる。
【００３４】
次に、ステップＳ２３において、反射超音波を受信信号に変換し、整相加算を行って音響線信号を生成する。まず、超音波ビームが被検体内で反射され反射超音波として超音波探触子１０１に到達するので、振動子１０１ａは反射超音波を電気信号に変換して超音波受信部１５０に出力する。次に、Ａ／Ｄ変換部１５１が各電気信号を増幅しＡ／Ｄ変換を行って素子受信信号（ＲＦ信号）に変換を行う。次に、受信ビームフォーマ１５２が、対象領域内の各観測点Ｐｊｋについて、各観測点Ｐｊｋから受波した反射超音波に基づく素子受信信号のタイミングが同一となるように、素子受信信号に遅延処理を行って加算処理を行い、音響線信号（ＤＡＳデータ）を生成する。対象領域とは、音響線信号生成の対象となる領域であり、本実施の形態では、事前に設定されているものとする。
【００３５】
次に、ステップＳ２４において、音響線信号を合成して中間合成音響線信号を生成する。合成部１５３は、ｉが１から現在値までに係るすべての音響線信号の合成を行う。ここでは、ｉ＝１であるため、合成の対象は直前のステップＳ２３で生成された音響線信号のみである。したがって、合成部１５３は、音響線信号をそのまま中間合成音響線信号として、音響線信号保持部１５４に記録する。
【００３６】
次に、ステップＳ２５において、中間合成音響線信号に基づいて評価値を算出する。図４は、評価値の算出過程を示すフローチャートである。
まず、ステップＳ２５１において、中間合成音響線信号から、事前に設定した関心領域に係るデータを抽出する。ここで、関心領域とは、評価値の算出対象とする領域であり、対象領域の全域又は一部である。本実施の形態では、対象領域の全域を関心領域とする。
【００３７】
次に、ステップＳ２５２において、関心領域内の観測点Ｐｊｋにおける中間合成音響線信号の振幅Ａｊｋの絶対値を加算し、エネルギーＥiとして算出する。ここでは、関心領域は対象領域の全域であるので、対象領域内の観測点Ｐｊｋにおける中間合成音響線信号の振幅値Ａｊｋの絶対値｜Ａｊｋ｜を全て加算した値が、エネルギーＥ1となる。
次に、評価値Ｋiを算出する（ステップＳ２５３〜Ｓ２５５）。ここでは、評価値Ｋ1＝１とする（ステップＳ２５５）。
【００３８】
図３に戻って説明を続ける。ステップＳ２６において、評価部１５５は、評価値Ｋｉが基準を満たしているか否かを判断する。ここで、基準とは、評価値Ｋｉが８０％以下であることである。Ｋ1＝１は基準を満たしていないので、ステップＳ２７で、送信回数が上限値ｉmaxを超えていないか判定した後、次の送信イベントを行う（ステップＳ２８）。
２回目の送信イベントでは、２番目の送信角度である−５°を用いて超音波ビームの送信が行われ（ステップＳ２２）、音響線信号が生成される（ステップＳ２３）。
【００３９】
また、ステップＳ２４において、音響線信号を合成して中間合成音響線信号を生成する。ここでは、ｉ＝２であるため、合成の対象はｉ＝１のステップＳ２３で生成された音響線信号と、直前のステップＳ２３で生成された音響線信号である。したがって、合成部１５３は、この２つの音響線信号を合成する。具体的には、音響線信号保持部１５４から中間合成音響線信号を読み出し、直前のステップＳ２３で生成された音響線信号との間で、各観測点Ｐｊｋにおける中間合成音響線信号の値と音響線信号とを加算して２で除算し、新たな中間合成音響線信号を生成する。合成部１５３は、生成した中間合成音響線信号を、音響線信号保持部１５４に記録する。
【００４０】
次に、ステップＳ２５において、中間合成音響線信号に基づいて評価値を算出する。まず、ステップＳ２５１において、中間合成音響線信号から、事前に設定した関心領域に係るデータを抽出する。次に、ステップＳ２５２において、関心領域内の観測点Ｐｊｋにおける中間合成音響線信号の振幅Ａｊｋの絶対値を加算し、エネルギーＥiとして算出する。ここでは、関心領域は対象領域の全域であるので、対象領域内の観測点Ｐｊｋにおける中間合成音響線信号の振幅値Ａｊｋの絶対値｜Ａｊｋ｜を全て加算した値が、エネルギーＥ2となる。
【００４１】
次に、評価値Ｋiを算出する（ステップＳ２５３〜Ｓ２５５）。ここで、評価値Ｋiは、以下のように算出される。
Ｋi＝（Ｅi−Ｅi-1）／Ｅ1
すなわち、ステップＳ２４による中間合成音響線信号のエネルギーの変化量を、送信角度が０°における音響線信号のエネルギーで正規化した値が、評価値Ｋiとなる。
【００４２】
次に、ステップＳ２６において、評価部１５５は、評価値Ｋiが基準を満たしているか否かを判断する。ここで、基準とは、評価値Ｋiが８０％以下であることである。ここで、Ｋ2が基準を満たしていない場合は、ステップＳ２７で、送信回数が上限値ｉmax以下であるかを判定した後、次の送信イベントを行う（ステップＳ２８）。
同様に、ｐ番目（ｐは３以上の整数）の送信イベントが行われる場合、同様に、ｐ番目の送信角度を用いて超音波ビームの送信が行われ（ステップＳ２２）、音響線信号が生成される（ステップＳ２３）。ステップＳ２４において、ｉ＝ｐであるため、ｉ＝１〜ｐのそれぞれのステップＳ２３で生成された音響線信号を合成して中間合成音響線信号が生成される。具体的には、合成部１５３は、音響線信号保持部１５４から中間合成音響線信号を読み出して（ｐ−１）倍することで、各観測点Ｐｊｋにおけるｉ＝１〜（ｐ−１）の値の合計値を取り出し、直前のステップＳ２３で生成された音響線信号の値を加算してｐで除算し、新たな中間合成音響線信号を生成する。合成部１５３は、生成した中間合成音響線信号を、音響線信号保持部１５４に記録する。ステップＳ２５において、中間合成音響線信号に基づいて評価値を算出する。まず、ステップＳ２５１〜ステップＳ２５２により、エネルギーＥpを算出する。次に、Ｋp＝（Ｅp−Ｅp-1）／Ｅ1により、評価値Ｋnを得る。
【００４３】
一方、ｑ番目（ｑは２以上の整数）の送信イベントにおいて評価値Ｋqが基準を満たした、すなわち、評価値Ｋqが８０％以下であった場合、ステップＳ３０において、出力部１５６は、音響線信号保持部１５４から中間合成音響線信号を取得し、合成音響線信号として出力する。このとき、出力部１５６は、音響線信号保持部１５４が保持している送信回数を０にリセットする。
【００４４】
最後に、ステップＳ４０において、合成音響線信号からＢモード画像を生成し、表示部に出力する。具体的には、画像処理部１６０が合成音響線信号に座標変換、輝度変換を行ってＢモード画像に変換し、表示制御部１７０が表示部１０３にＢモード画像を表示させる。
なお、ステップＳ２７においてＹｅｓとなった場合、すなわち、送信回数ｉが上限値ｉmaxに達した場合、評価値が基準を満たした場合（ステップＳ２６でＹｅｓ）と同じ処理を行う。これは、送信イベントが過度に繰り返されることを抑止するためである。なお、上限値上限値ｉmaxは、例えば、送信角度列に含まれる送信角度の数、としてもよい。これにより、送信角度列に含まれるすべての送信角度を用いて送信イベントを行った場合に、次のフレームに進むことができる。
【００４５】
なお、次のフレームに進む際、所定のフレームレートに従って次のフレームの処理を開始してもよいし、ステップＳ４０が終了次第、またはステップＳ４０の終了から一定時間後に次のフレームの処理を開始するとしてもよい。後者の場合、合成回数が少ない場合には動的にフレームレートを向上させることができ、時間解像度を向上させることができる。
【００４６】
＜合成回数ｉと評価値Ｋiとの関係＞
合成回数ｉと評価値Ｋiとの関係について、図５の関係グラフを用いて説明する。
一般に、合成回数ｉと評価値Ｋiとの関係は、図５（ａ）に示すような関係となる。以下、理由を説明する。
上述したように、評価値Ｋiは、送信角度０°の送信イベントで得た音響線信号のエネルギーＥ1を基準として、ｉ番目の送信イベントで得た音響線信号が中間合成音響線信号のエネルギーにもたらす影響を示したものである。中間合成音響線信号のエネルギーＥiは、各観測点Ｐｊｋの振幅値の絶対値の合計であるから、ｉの異なる２つの中間合成音響線信号が類似していれば、それらのエネルギーＥiも当然に類似する。したがって、１〜ｉ−１番目の送信イベントで得た音響線信号を合成した中間合成音響線信号と、ｉ番目の音響線信号との間で差異が存在するほど評価値Ｋiが大きくなる。１〜ｉ番目の音響線信号の相互の差がほぼ同程度の場合、中間合成音響線信号とｉ番目の音響線信号の差異はｉが大きくなるほど一定の値に収束し、評価値Ｋiも一定の値に収束する。したがって、このような場合、送信回数ｉが大きくなるほど、評価値Ｋiは小さくなり、図５（ａ）に示すように、ｉが増加するほど評価値Ｋiは単調に減少する。
【００４７】
一方、対象領域内の一部に速い周期的な動きが存在する場合には、図５（ｂ）に示すような関係となる。対象領域内の一部に速い動きが存在する場合、動きのない部分が音響線信号の合成によって空間解像度の向上が行われる反面、動きの存在する部分は合成しても空間解像度の向上が行われず、異なる状態の平均が得られることになる。周期的な動きの場合、動きの半周期分の合成が行われた時点でそれ以上の合成を行っても中間合成音響線信号の変化がほとんど起きなくなるので、結果として、合成回数を増加させても中間合成音響線信号のエネルギー変化が小さく、評価値Ｋiは送信回数ｉが大きくなるほど激しく低下する。そのため、図５（ｂ）に示すように、同一の閾値を用いた場合は図５（ａ）の場合より少ない送信回数で評価値Ｋiが基準を満たすことになる。したがって、対象領域内の一部に速い周期的な動きが存在する場合には、１フレームを生成するための送信回数が少なくなり、空間解像度の低下を抑止することができる。
【００４８】
また、対象領域内に異方性がある場合には、図５（ｃ）に示すような関係となる。例えば、素子列方向が左右方向、送信角度０°の超音波の進行方向が下方向であり、対象領域の左右方向の右寄りから右端にかけて骨が存在する状態を仮定する。このとき、超音波ビームは骨によって反射されるため、骨の下側は骨の陰となる。したがって、送信角度が０°ないし左下向きである場合には、骨の下側の領域については反射超音波が十分に取得できず、当該領域の空間解像度が低下することになる。一方で、送信角度が右下向きである場合には、超音波ビームの進行方向が変化することにより陰となる領域の位置が変化するため、送信角度０°で陰であった場所の一部は送信角度５°で陰でなくなり、他の一部は送信角度１０°で陰でなくなる。そのため、合成を行うたびに中間合成音響線信号の陰の領域が補完されて空間解像度が向上するとともに、補完によって中間合成音響線信号のエネルギーが大きくなる。結果として、補完がなされなくなるまで評価値Ｋiが大きく低下せず、評価値Ｋiは送信回数ｉが大きくなるほど緩やかに低下する。そのため、図５（ｃ）に示すように、同一の閾値を用いた場合は図５（ａ）の場合より多い送信回数で評価値Ｋiが基準を満たすことになる。したがって、対象領域内に補正がある場合には、１フレームを生成するための送信回数を多くし、空間解像度を十分に確保することができる。
【００４９】
＜送信角度列における送信角度の順＞
図６の模式図を用いて、送信角度の順について説明する。
図６の模式図では、各送信イベントの送信角度、音響線信号が生成される領域、中間合成音響線信号の領域をそれぞれ示している。ここで、模式図における５つの振動子１０１ａの並ぶ向きを素子列方向（ｘ方向）、素子列方向に対する法線方向を深さ方向（ｙ方向）とする。
【００５０】
第１送信イベントでは、送信角度として０°を用いる。すなわち、超音波ビームの進行方向は、ｙ軸と平行になる。ここでは、波面を作り出す、各振動子１０１ａからの球面波ｃｉ１〜ｃｉ５の大きさが同一となるように、全ての振動子を同時に駆動させる。これにより、対象領域全域から反射された反射超音波に基づいて音響線信号が生成される。
第２送信イベントでは、送信角度として−５°を用いる。すなわち、超音波ビームの進行方向は、ｙ軸に対し、ｘ軸の負の方向に５°の角をなしている。そのため、各振動子１０１ａからの球面波ｃｉ１〜ｃｉ５の接線がｘ軸に対してｙ軸の正の方向に５°の角をなす必要がある。したがって、ｃｉ５、ｃｉ４、…、ｃｉ１の順に球面波の半径が小さくなるように、各振動子の駆動タイミングを、ｘ軸の正の側から負の側に順次駆動するように遅延処理を行う。これにより、対象領域全域から反射された反射超音波に基づいて音響線信号が生成されるが、図面右下側には位相の揃った超音波ビームが通過しない空白領域（ｂｌａｎｋ１）が生じ、空白領域における空間解像度は低下することとなる。
【００５１】
同様に、第３送信イベント、第４送信イベント、第５送信イベントにおいて、それぞれ、空間解像度の低下する空白領域ｂｌａｎｋ２、ｂｌａｎｋ３、ｂｌａｎｋ４が生じることとなる。
本実施の形態では、送信角度列における送信角度の順は、（１）送信角度は、正、負、正、負、の順、（２）送信角度は絶対値が小さいものから大きくなる順、（３）送信角度０から開始、としている。これは、以下の理由によるものである。
【００５２】
（１）送信角度が正、負、正、負、の順としている理由としては、空白領域が右側（ｘの正の側）と左側（ｘの負の側）の一方に偏ることを避けるためである。評価値Ｋiが基準を満たしたときの実施済みの送信イベントにおいて、送信角度が正である送信イベント数と、送信角度が負である送信イベント数との間に偏りが生じると、空間解像度がｘ方向に不均一となり得る。空白領域については合成による合成音響線信号の空間解像度が向上しないため、合成音響線信号の各観測点Ｐｊｋにおける空間解像度は、Ｐｊｋが空白領域に存在している音響線信号の数が少ないほど向上する。そのため、合成に用いた音響線信号において、空白領域が空間的に偏っていると、空白領域が集中している領域だけ空間解像度が低くなることになる。したがって、空白領域を空間的に偏らせないために、左右均等に超音波ビームを送信することが好ましい。送信角度を正、負、正、負、の順にすれば、評価値Ｋiが基準を満たしたときの送信イベント数にかかわらず、合成音響線信号における空間解像度の不均一化を避けることができる。
【００５３】
（２）送信角度が絶対値が小さいものから大きくなる順としている理由としては、空白領域の面積が増加するようにすることで、エネルギー値が増加する評価値Ｋｉの増加を抑えるためである。送信角度の絶対値が大きくなるほど空白領域の面積が広くなるため、送信角度の絶対値が大きいものから小さいものの順で送信イベントを行うと、送信角度の絶対値が大きい送信イベントにおいて空白領域となった領域の一部について、送信角度の絶対値が小さい送信イベントにおいて音響線信号が取得されるため、当該領域における空間解像度の向上が生じる。結果、中間合成音響線信号のエネルギー値変化が大きくなり、評価値Ｋiが大きな値を維持する。すなわち、音響線信号の合成を行ったときの空間解像度の向上がすぐには飽和せず、送信イベントの数が増加することとなる。送信角度が絶対値が小さいものから大きくなる順においては、空白領域の補完が生じづらくなるため、音響線信号の合成を行ったときの空間解像度の向上が飽和しやすくなり、送信イベントの数を抑制しやすくなるからである。
【００５４】
そして、上述の（１）、（２）の条件で送信角度を制御すると、（３）送信角度０から開始する構成が好ましい。
＜小括＞
実施の形態１に係る超音波信号処理装置及び超音波診断装置によれば、合成音響線信号の空間解像度を一定水準以上に保ったまま送信イベント数を削減することができる。また、送信イベント数に応じて動的にフレームレートを変更する場合には、時間解像度を向上させることができる。
【００５５】
≪変形例１≫
実施の形態１に係る超音波信号処理装置及び超音波診断装置では、中間合成音響線信号の振幅値の合計値に基づいてエネルギーＥiを算出し、その変化度合いから評価値Ｋiを算出した。
これに対し、変形例１では、中間合成音響線信号のスペクトルに基づいてエネルギーＥiを算出し、その変化度合いから評価値Ｋiを算出する場合について説明する。
【００５６】
＜動作＞
図７は、変形例１に係る評価値算出動作を示すフローチャートである。なお、図４と同一の動作については同じステップ番号を付し、説明を省略する。
まず、ステップＳ２５１において、中間合成音響線信号から、事前に設定した関心領域に係るデータを抽出する。本実施の形態では、対象領域の全域を関心領域とする。
【００５７】
次に、ステップＳ１２５１において、関心周波数帯を設定する。関心周波数帯とは、中間合成音響線信号の各周波数成分のうち、エネルギーとして取り出す周波数成分である。ここでは、関心周波数帯は、送信超音波ビームの周波数に鑑みて、４ＭＨｚ〜７ＭＨｚに設定する。これにより、低周波ノイズや高周波ノイズの影響を受けずに中間合成音響線信号を評価することができる。なお、関心周波数帯は上述の例に限られず、他の帯域を設定してもよいし、全周波数帯域としてもよい。
【００５８】
次に、ステップＳ１２５２において、関心周波数帯に基づいて中間合成音響線信号を２次元フーリエ変換し、フーリエデータを生成する。
次に、ステップＳ１２５３において、フーリエデータのパワースペクトルの総和をエネルギーＥiとして算出する。ここでは、関心周波数は４ＭＨｚ〜７ＭＨｚであるので、周波数範囲４ＭＨｚ〜７ＭＨｚのスペクトルを総和したものが、エネルギーＥiとなる。
【００５９】
次に、評価値Ｋiを算出する（ステップＳ２５３〜Ｓ２５５）。ステップＳ２４による中間合成音響線信号の周波数４ＭＨｚ〜７ＭＨｚ成分のパワー変化量を、送信角度が０°における音響線信号のエネルギーで正規化した値が、評価値Ｋiとなる。
＜小括＞
上記構成により、評価値Ｋiの算出において、中間合成音響線信号における低周波ノイズ、高周波ノイズ等による変化の影響を排除することができる。したがって、音響線信号の合成により中間合成音響線信号の空間解像度が向上しているか否かを、より高い精度で検出することができる。
【００６０】
≪変形例２≫
変形例１に係る超音波信号処理装置及び超音波診断装置では、中間合成音響線信号のスペクトルに基づいてエネルギーＥiを算出し、その変化度合いから評価値Ｋiを算出した。
これに対し、変形例２では、中間合成音響線信号の１次元化を行い、１次元化された中間合成音響線信号のスペクトルに基づいてエネルギーＥiを算出し、その変化度合いから評価値Ｋiを算出する場合について説明する。
【００６１】
＜動作＞
図８は、変形例２に係る評価値算出動作を示すフローチャートである。なお、図４、図７と同一の動作については同じステップ番号を付し、説明を省略する。
まず、ステップＳ２５１において、中間合成音響線信号から、事前に設定した関心領域に係るデータを抽出する。本実施の形態では、対象領域の全域を関心領域とする。
【００６２】
次に、ステップＳ１２５４において、中間合成音響線信号の一次元化を行う。具体的には、以下の処理を行う。評価部は、関心領域内の観測点Ｐｊｋにおける中間合成音響線信号の値Ｖｊｋについて、深さ方向の座標ｋごとに、代表値Ｖｋを算出する。具体的には、ｋ＝１である複数の観測点Ｐｊ１について、中間合成音響線信号の値Ｖｊ１の最大値をＶ１とする。同様に、ｋ＝２、３、…、についても実施し、それぞれＶｋの値を算出する。最後に、Ｖｋをｋの関数とすることで、一次元中間合成音響線信号を生成する。
【００６３】
次に、ステップＳ１２５１において、関心周波数帯を設定する。関心周波数帯とは、中間合成音響線信号の各周波数成分のうち、エネルギーとして取り出す周波数成分である。ここでは、関心周波数帯は、送信超音波ビームの周波数に鑑みて、４ＭＨｚ〜７ＭＨｚに設定する。
次に、ステップＳ１２５５において、関心周波数帯に基づいて１次元中間合成音響線信号を１次元フーリエ変換し、フーリエデータを生成する。
【００６４】
次に、ステップＳ１２５３において、フーリエデータのパワースペクトルの総和をエネルギーＥiとして算出する。ここでは、関心周波数は４ＭＨｚ〜７ＭＨｚであるので、周波数範囲４ＭＨｚ〜７ＭＨｚのスペクトルを総和したものが、エネルギーＥiとなる。
次に、評価値Ｋiを算出する（ステップＳ２５３〜Ｓ２５５）。ステップＳ２４による１次元中間合成音響線信号の周波数４ＭＨｚ〜７ＭＨｚ成分のパワー変化量を、送信角度が０°における１次元音響線信号のエネルギーで正規化した値が、評価値Ｋiとなる。
【００６５】
＜小括＞
上記構成により、関心周波数帯域における中間合成音響線信号の値の最大値の変化に基づいて、評価値Ｋiを算出することができる。したがって、中間合成音響線信号の値は変化しているが最大値が変化しない場合、例えば、動き等に起因した合成により空間解像度が向上しない場合に、評価値Ｋiが高い値とならないようにすることができる。したがって、音響線信号の合成により中間合成音響線信号の空間解像度が向上しているか否かを、より高い精度で検出することができる。
【００６６】
≪実施の形態２≫
実施の形態１では、全てのフレームの処理において動的に送信回数を変更する場合について説明した。
実施の形態２では、これに対し、送信回数の決定を数フレームごとに行うことを特徴とする。
【００６７】
＜構成＞
図９は、実施の形態２に係る超音波信号処理装置２１０の機能ブロック図である。なお、図２と同一の構成要素については同じ符号を付し、説明を省略する。
超音波信号処理装置２１０は、制御部１２０に替えてさらに送信回数保持部２２２を有する制御部２２０を備え、超音波受信部１５０に替えて送信回数保持部２２２に送信回数を記録する評価部２５５を有する超音波受信部２５０を備える点に特徴がある。
【００６８】
制御部２２０は、上述した制御部１２０の機能に加えて、以下の機能を備える。制御部２２０は、フレーム処理開始時に、当該フレームにおいて送信回数の動的変更を行うか否かを判定し、行わない場合には、超音波送信部１３０に、送信回数保持部２２２に保持されている送信回数だけ送信イベントを行わせる。また、当該フレームにおいて送信回数の動的変更を行う場合には、送信回数保持部２２２に送信回数の保持を行う。
【００６９】
評価部２５５は、上述した評価部１５５の機能に加えて、以下の機能を備える。評価部２５５は、送信回数の動的変更を行うフレーム処理において、評価値Ｋiが基準を満たすに至った送信回数ｉを送信回数として送信回数保持部２２２に出力する。また、評価部２５５は、送信回数の動的変更を行わないフレーム処理において、エネルギーＥiおよび評価値Ｋiの算出を行わず、合成部１５３が送信回数保持部２２２に保持されている送信回数だけ音響線信号を合成すると、無条件で出力部１５６に中間合成音響線信号を合成音響線信号として出力させる。
【００７０】
＜動作＞
以下、実施の形態２に係る超音波診断装置の動作について説明する。図１０は、複数のフレームに係る超音波診断装置の動作を示すフローチャートである。
まず、ステップＳ１００において、フレームカウンタｍの値を初期化する。次に、ステップＳ１０１において、フレームタイマーＴｆを起動する。
【００７１】
次に、ステップＳ１０２において、フレームカウンタｍが（ｍ−１）／ｎ＝０の条件を満たすか否かを判断する。ここで、ｎは、何フレームごとに送信回数決定動作を行うかを示す値であり、例えば、１０である。ｍ＝１の場合は、上記条件を満たすため、次に、ステップＳ１０３の動作を行う。
ステップＳ１０３において、超音波診断装置は、送信回数の決定動作を行う。図１１は、送信回数決定操作に係るフレームにおける超音波診断装置の動作を示すフローチャートである。なお、図４と同じ動作については同じステップ番号を付し、説明を省略する。
【００７２】
ステップＳ１０３の送信回数決定操作においては、実施の形態１に係る超音波診断装置１００とほぼ同様の動作を行う。但し、評価値Ｋiが基準を満たした場合、ステップＳ５０において、評価部２５５は、送信回数ｉを送信回数保持部２２２に記録する。これにより、ステップＳ１０３における送信回数ｉが送信回数保持部２２２に保持されることになる。
【００７３】
図１０に戻って説明を続ける。次のフレームがある場合（ステップＳ１０５でＮｏ）、フレームカウンタｍをインクリメントし（ステップＳ１０６）、タイマーＴｆの満了まで待機する（ステップＳ１０７）。ここで、タイマーＴｆは、フレームレートによって定まるフレーム間隔によって満了する。次に、ステップＳ１０１において、フレームタイマーＴｆを起動する。
【００７４】
次に、ステップＳ１０２において、フレームカウンタｍが（ｍ−１）／ｎ＝０の条件を満たすか否かを判断する。ここで、ｎは１０であるから、ｍ＝２の場合は、上記条件を満たさない。この場合、次に、ステップＳ１０４の動作を行う。
ステップＳ１０４において、超音波診断装置は、決定された送信回数に従って画像取得動作を行う。図１２は、画像取得動作に係るフレームにおける超音波診断装置の動作を示すフローチャートである。なお、図４および図１１と同じ動作については同じステップ番号を付し、説明を省略する。
【００７５】
まず、ステップＳ６０において、超音波送信部１３０は送信角度列保持部１２１から送信角度列と送信回数を取得する。ここで、取得された送信角度列は、｛０、−５、＋５、−１０、＋１０、−１５、＋１５、…、−４０、＋４０｝であり、送信回数は７であるとする。
次に、送信回数カウンタｉを１に初期化し（ステップＳ２１）、ｉ番目の送信角度を用いて対象領域に超音波ビームを送信する（ステップＳ２２）。ここではｉ＝１であるので、１番目の送信角度、すなわち０°を送信角度として用い、超音波ビームを送信する。
【００７６】
次に、ステップＳ２３において、反射超音波を受信信号に変換し、整相加算を行って音響線信号を生成する。
次に、ステップＳ７０において、音響線信号を合成して中間合成音響線信号を生成する。合成部１５３は、ｉが１から現在値までに係るすべての音響線信号の合成を行う。ここでは、ｉ＝１であるため、合成の対象は直前のステップＳ２３で生成された音響線信号のみである。したがって、合成部１５３は、音響線信号をそのまま中間合成音響線信号として、音響線信号保持部１５４に記録する。
【００７７】
次に、ステップＳ８０において、ｉがステップＳ６０で取得した送信回数に達したかを判断する。ｉは送信回数に達していないため、ステップＳ８１でｉをインクリメントし、次の送信イベントを実施する。
以下、ｉが送信回数である７に達するまで、ｉをインクリメントしながら送信イベントが繰り返される。
【００７８】
第７回目の送信イベントでは、ステップＳ８０でｉが送信回数に達することになる。したがって、ステップＳ３０に進み、出力部１５６は、音響線信号保持部１５４から中間合成音響線信号を取得し、合成音響線信号として出力する。このとき、出力部１５６は、音響線信号保持部１５４が保持している送信回数を０にリセットする。
最後に、ステップＳ４０において、合成音響線信号からＢモード画像を生成し、表示部に出力する。具体的には、画像処理部１６０が合成音響線信号に座標変換、輝度変換を行ってＢモード画像に変換し、表示制御部１７０が表示部１０３にＢモード画像を表示させる。
【００７９】
以上の動作により、送信回数と送信角度列に従って合成音響線信号が生成される。
図１０に戻って説明を続ける。次のフレームがある場合（ステップＳ１０５でＮｏ）、フレームカウンタｍをインクリメントし（ステップＳ１０６）、タイマーＴｆの満了まで待機する（ステップＳ１０７）。ここで、タイマーＴｆは、フレームレートによって定まるフレーム間隔によって満了する。次に、ステップＳ１０１において、フレームタイマーＴｆを起動する。これにより、第３フレームに係る動作が開始される。
【００８０】
以上の処理により、ｎフレームごとに１回ずつ、送信回数決定動作が行われ、それ以外のフレームについてはフレーム画像の取得動作が行われることとなる。
＜小括＞
実施の形態２に係る超音波信号処理装置及び超音波診断装置によれば、送信イベント数の決定が一部のフレームのみで行われるため、評価値の算出を全送信イベントで行う必要がなく、演算量の低減に奏功する。また、超音波探触子の揺動等により送信イベント数がフレームごとに変化することを抑止することができ、演算量やフレームレートが乱高下することを抑止することができる。
【００８１】
≪変形例３≫
実施の形態２では、送信回数にかかわらずフレームレートを一定にする場合について説明した。本変形例では、これに対し、送信回数に応じてフレームレートを変更する場合について説明する。
＜動作＞
以下、変形例３に係る超音波診断装置の動作について説明する。図１３は、複数のフレームに係る超音波診断装置の動作を示すフローチャートである。なお、図１０と同じ動作については同じステップ番号を付し、説明を省略する。
【００８２】
まず、ステップＳ１００において、フレームカウンタｍの値を初期化する。次に、ステップＳ１０１において、フレームタイマーＴｆを起動する。
次に、ステップＳ１０２において、フレームカウンタｍが（ｍ−１）／ｎ＝０の条件を満たすか否かを判断する。ここで、ｎは、何フレームごとに送信回数決定動作を行うかを示す値であり、例えば、１０である。ｍ＝１の場合は、上記条件を満たすため、次に、ステップＳ１０３の動作を行う。
【００８３】
ステップＳ１０３において、超音波診断装置は、送信回数の決定動作を行う。
次に、ステップＳ１０８において、ステップＳ１０３で決定された送信回数に応じてフレームタイマーＴｆの満了時間を変更する。例えば、当初のフレームタイマーＴｆが５０ｍｓ（２０ｆｐｓ）であるとし、ステップＳ１０３で決定された送信回数によれば４０ｆｐｓまでフレームレートが上げられるとした場合、Ｔｆの満了時間を２５ｍｓに変更する。なお、この変更は、直前のステップＳ１０１により起動されステップＳ１０８で動作中のタイマーについても適用される。
【００８４】
次のフレームがある場合（ステップＳ１０５でＮｏ）、フレームカウンタｍをインクリメントし（ステップＳ１０６）、タイマーＴｆの満了まで待機する（ステップＳ１０７）。ここで、タイマーＴｆは、フレームレートによって定まるフレーム間隔によって満了する。次に、ステップＳ１０１において、フレームタイマーＴｆを起動する。
次に、ステップＳ１０２において、フレームカウンタｍが（ｍ−１）／ｎ＝０の条件を満たすか否かを判断する。ここで、ｎは１０であるから、ｍ＝２の場合は、上記条件を満たさない。この場合、次に、ステップＳ１０４の動作を行う。
【００８５】
ステップＳ１０４において、超音波診断装置は、決定された送信回数に従って画像取得動作を行う。
次のフレームがある場合（ステップＳ１０５でＮｏ）、フレームカウンタｍをインクリメントし（ステップＳ１０６）、タイマーＴｆの満了まで待機する（ステップＳ１０７）。ここで、タイマーＴｆは、フレームレートによって定まるフレーム間隔によって満了する。次に、ステップＳ１０１において、フレームタイマーＴｆを起動する。これにより、第３フレームに係る動作が開始される。
【００８６】
以上の処理により、ｎフレームごとに１回ずつ、送信回数決定動作が行われ、同時に、当該フレームを含めて次の送信回数決定動作が開始されるまでのフレームレートが決定されることになる。したがって、送信回数が小さくなった場合には、時間解像度を向上させることができる。
＜フレームレートに関する補足説明＞
送信回数決定動作とフレームレートの関係について、図１４のタイムチャートを用いて説明する。図１４は、送信回数決定動作および画像取得動作と、画像出力のタイミングを示したタイムチャートである。
【００８７】
実施の形態１に係る超音波診断装置の動作では、図１４（ａ）または図１４（ｂ）の動作となる。フレームレートを動的に変更しないとした場合、図１４（ａ）に示すように、画像出力ｆ０１〜ｆ０７は等間隔で行われ、画像出力後一定時間後にフレーム動作３０１〜３０７が行われることとなる、一方、フレームレートを動的に変更するとした場合、図１４（ｂ）に示すように、各フレーム動作３１１〜３１７は１つ前の画像出力後一定後に行われ、画像出力ｆ１１〜ｆ１７は各フレーム動作３１１〜３１７直後に行われる。すなわち、画像出力から次のフレーム動作開始までの時間が一定で、フレームレートは各フレーム操作の所要時間に依存することになる。
【００８８】
一方、実施の形態２に係る超音波診断装置の動作では、図１４（ｃ）の動作となる。すなわち、送信回数決定動作３２１、画像取得動作４２２、４３３、…、３２４、送信回数決定動作３２５、画像取得動作４３６、のように、定期的に送信回数決定動作が行われる。画像出力ｆ２１〜ｆ２６は等間隔で行われ、画像出力後一定時間後に送信回数決定動作と画像取得動作のいずれかが行われる。
【００８９】
一方、変形例３に係る超音波診断装置の動作では、図１４（ｄ）の動作となる。すなわち、送信回数決定動作３３１、画像取得動作４３２、４３３、…、３３４、送信回数決定動作３３５、画像取得動作４３６、のように、定期的に送信回数決定動作が行われるが、画像出力ｆ３１〜ｆ３７は送信回数決定動作または画像取得動作のほぼ直後に行われる。このとき、フレームレートは、送信回数決定動作の直後から次の送信回数決定動作の直前まで一定となり、送信回数決定動作があるごとに、フレームレートが変更されうることとなる。
【００９０】
なお、変形例３では、ｎフレームごとに送信回数決定動作を行うとしたが、送信回数決定動作は、所定時間ごと（例えば、０．２秒ごと）に行ってもよいし、ユーザの指示があるたびに行ってもよい。例えば、ユーザの指示があるたびに送信回数決定動作を行うとする場合、フレームレートを変更しない場合は図１４（ｅ）の動作となる。すなわち、画像出力ｆ４１〜ｆ４７は等間隔で行われ、画像出力後一定時間後に画像取得動作４４１〜４４４、４４６、４４７が行われることとなる。但し、ユーザから送信回数決定動作をすべき旨の入力を受け付けたとき、次の画像出力ｆ４４が行われた直後の動作については、画像取得動作に替えて送信回数決定動作３４５が行われる。なお、フレームレートを変更する場合には図１４（ｆ）に示すように、送信回数決定動作３５５の開始以降、フレームレートが変更される。なお、図１４には図示しないが、送信回数決定動作はｎフレームごとに行いつつ、ユーザの指示があるときに随時行ってもよいし、さらに、ユーザの指示により行った場合には直前の送信回数決定動作からｎフレーム後に行うようにしてもよい。
【００９１】
＜実施の形態に係るその他の変形例＞
（１）各実施の形態および各変形例では、合成部はｉ＝１からｐまでの中間合成音響線信号を中間合成音響線信号保持部に格納し、ｐ＋１の音響線信号をさらに合成する際には、中間合成音響線信号にｐを乗算した後ｐ＋１の音響線信号を加算し、ｐ＋１で除して中間合成音響線信号を生成して音響線信号保持部に格納する場合について説明した。しかしながら、合成処理は上記方法に限られず、例えば、合成部はｉ＝１からｐまでの音響線信号を単純加算した加算音響線信号を音響線信号保持部に格納し、評価部および出力部は、加算音響線信号を送信回数で除して中間合成音響線信号を取得する、としてもよい。なお、音響線信号の合成は単純加算に限られず、例えば、送信角度に依存した重みづけを行ってもよいし、空白領域についてはデータがないものとして合成に用いない、としてもよい。
【００９２】
また、実施の形態２および変形例３では、画像取得動作においても合成部は送信回数決定動作と同様の処理により中間合成音響線信号を生成するとしたが、例えば、合成部は、画像取得動作においては送信回数分の音響線信号を保持し、一度に合成処理を行うとしてもよい。
（２）各実施の形態および各変形例では、送信角度列は、｛０、−５、＋５、−１０、＋１０、−１５、＋１５、…、−４０、＋４０｝であるとしたが、例えば、｛０、−０．２、＋０．２、−０．４、＋０．４、…｝や、｛０、−０．３、＋０．３、−０．６、＋０．６、…｝であってもよい。また、送信角度列は、｛０、負、正、負、正、…｝の順に限られず、｛０、正、負、正、負、…｝や、｛０、正、負、負、正、正、負、負、…｝または｛０、負、正、正、負、負、正、正、…｝等の順であってもよい。また、送信角度列は、必ずしも絶対値が大きくなる順でなくてもよく、例えば、｛０、＋８、−８、＋４、−４、＋６、−６、＋２、−２、…｝のように、１番目〜３番目の送信角度の範囲内に、４番目以降の送信角度を設定する、としてもよい。
【００９３】
また、送信角度列保持部１２１が複数の送信角度列を有している場合には、制御部は、対象領域の面積、被検体内に占める位置、対象領域内の組織等に基づいて、いずれの送信角度列を用いるかを判断してもよい。このような制御により、例えば、リウマチ診断のために手指を撮像する場合と、がん検診のために内臓を撮像する場合とでそれぞれに適した送信角度列を用いることができる。
【００９４】
（３）実施の形態１および変形例１、２、及び、実施の形態２および変形例３の送信回数決定動作において、送信イベントが行われるごとに、合成部は中間合成音響線信号を生成して、評価部は評価値Ｋiを算出して評価値Ｋiが基準を満たすか否かを判断した。しかしながら、評価値の算出及び判断は全ての送信イベントが行われる必要はなく、例えば、送信回数２回ごと、または、送信回数４回ごと、など、送信回数が一定の条件を満たす場合にのみ行ってもよい。このとき、評価部は評価を行う送信イベント時にのみ評価値を算出すればよい。また、評価値の算出及び判断を送信イベントｒ回（ｒは２以上の整数）ごとに行う場合、評価値Ｋiは、Ｋi＝（Ｅi−Ｅi-r）／Ｅ1、としてもよい。また、合成部は、評価を行う送信イベント時にのみまとめて合成処理を行って中間合成音響線信号を生成するとしてもよい。このような処理により、評価値算出の演算量を削減することができる。
【００９５】
（４）実施の形態１および変形例１、２、及び、実施の形態２および変形例３の送信回数決定動作において、評価値Ｋ1は部分合成音響線信号のエネルギーＥ1を基準としたが、送信角度０°に対応する音響線信号のエネルギーを代わりに用いてもよい。なお、送信角度列が０°から開始されない場合は、単純に部分合成音響線信号のエネルギーＥ1を基準としてもよいし、送信角度０°に対応する音響線信号のエネルギーを用いてもよい。さらに、送信角度列が０°を含んでいない場合は、単純に部分合成音響線信号のエネルギーＥ1を基準としてもよいし、絶対値が最も小さい送信角度に対応する音響線信号のエネルギーを用いてもよい。なお、基準とするエネルギーは大きいほうが好ましいため、送信角度の絶対値が小さいほうが好ましい。
【００９６】
（５）実施の形態１および変形例１、２、及び、実施の形態２および変形例３の送信回数決定動作において、評価部は対象領域の全域に係る中間合成音響線信号から評価値Ｋiを算出したが、例えば、対象領域の一部である着目領域に係る中間合成音響線信号から評価値Ｋiを算出してもよい。着目領域は、例えば、対象領域を３×３に分割した中央の領域としてもよい。または、着目領域は、中心の位置を対象領域の中心とする所定サイズの領域であってもよい。このような処理により、評価値算出の演算量を削減することができる。
【００９７】
（６）各実施の形態及び各変形例では、超音波診断装置は平面波である超音波ビームを送出するとしたが、超音波ビームは平面波に限られず、焦点に収束しない非収束波であればどのような形状であってもよい。例えば、凸面上の波面を有する拡散型の超音波ビームを送出してもよい。
（７）各実施の形態及び各変形例では、超音波診断装置は、表示部にＢモード画像を表示するとしたが、例えば、超音波診断装置は、Ｂモード画像データをストレージや他の装置に出力する、としてもよい。または、例えば、超音波信号処理装置は、合成音響線信号を、ストレージや他の装置に出力する、としてもよい。
【００９８】
（８）各実施の形態および各変形例では、超音波診断装置は表示部１０３と接続される構成であるとしたが、本発明は必ずしもこの場合に限られない。例えば、超音波診断装置１００は表示部１０３を内蔵しているとしてもよい。また、同様に、超音波診断装置は超音波探触子１０１を内蔵しているとしてもよいし、あるいは、超音波探触子１０１がＡ／Ｄ変換部１５１や受信ビームフォーマ１５２を備え、Ａ／Ｄ変換部１５１や受信ビームフォーマ１５２を有さない超音波診断装置が超音波探触子１０１から音響線信号を取得するとしてもよい。
【００９９】
（９）実施の形態および各変形例に係る超音波診断装置は、その構成要素の全部又は一部を、１チップ又は複数チップの集積回路で実現してもよいし、コンピュータのプログラムで実現してもよいし、その他どのような形態で実施してもよい。例えば、評価部と出力部とを１チップで実現してもよいし、超音波送信部のみを１チップで実現し、超音波受信部等を別のチップで実現してもよい。
【０１００】
集積回路で実現する場合、典型的には、ＬＳＩ（Ｌａｒｇｅ  Ｓｃａｌｅ  Ｉｎｔｅｇｒａｔｉｏｎ）として実現される。ここでは、ＬＳＩとしたが、集積度の違いにより、ＩＣ、システムＬＳＩ、スーパーＬＳＩ、ウルトラＬＳＩと呼称されることもある。
また、集積回路化の手法はＬＳＩに限るものではなく、専用回路、又は汎用プロセッサで実現してもよい。ＬＳＩ製造後に、プログラムすることが可能なＦＰＧＡ（Ｆｉｅｌｄ  Ｐｒｏｇｒａｍｍａｂｌｅ  Ｇａｔｅ  Ａｒｒａｙ）や、ＬＳＩ内部の回路セルの接続や設定を再構成可能なリコンフィギュラブル・プロセッサを利用してもよい。
【０１０１】
さらには、半導体技術の進歩、又は派生する別技術により、ＬＳＩに置き換わる集積回路化の技術が登場すれば、当然その技術を用いて機能ブロックの集積化を行ってもよい。
また、各実施の形態および各変形例に係る超音波診断装置は、記憶媒体に書き込まれたプログラムと、プログラムを読み込んで実行するコンピュータとで実現されてもよい。記憶媒体は、メモリカード、ＤＶＤ−ＲＯＭなどいかなる記録媒体であってもよい。また、本発明に係る超音波診断装置は、ネットワークを経由してダウンロードされるプログラムと、プログラムをネットワークからダウンロードして実行するコンピュータとで実現されてもよい。
【０１０２】
（１０）以上で説明した実施の形態は、いずれも本発明の好ましい一具体例を示すものである。実施の形態で示される数値、形状、材料、構成要素、構成要素の配置位置及び接続形態、工程、工程の順序などは一例であり、本発明を限定する主旨ではない。また、実施の形態における構成要素のうち、本発明の最上位概念を示す独立請求項に記載されていない工程については、より好ましい形態を構成する任意の構成要素として説明される。
【０１０３】
また、発明の理解の容易のため、上記各実施の形態で挙げた各図の構成要素の縮尺は実際のものと異なる場合がある。また本発明は上記各実施の形態の記載によって限定されるものではなく、本発明の要旨を逸脱しない範囲において適宜変更可能である。
さらに、超音波診断装置においては基板上に回路部品、リード線等の部材も存在するが、電気的配線、電気回路について当該技術分野における通常の知識に基づいて様々な態様を実施可能であり、本発明の説明として直接的には無関係のため、説明を省略している。尚、上記示した各図は模式図であり、必ずしも厳密に図示したものではない。
【０１０４】
≪まとめ≫
（１）実施の形態に係る超音波信号処理装置は、複数の振動子を備えた超音波探触子を用いて被検体に焦点を結ばない非収束の超音波ビームを送信する送信イベントを複数回繰り返すとともに、各送信イベントに同期して被検体から反射超音波を受波し、受波した反射超音波に基づいて生成される複数の音響線信号を合成して合成音響線信号を得る超音波信号処理装置であって、超音波ビームの進行方向を送信イベントごとに変更しながら、被検体内に超音波ビームを送信イベントごとに前記超音波探触子に送信させる送信部と、各送信イベントに同期して、前記超音波探触子が前記被検体内の対象領域から受波した反射超音波に基づいて、前記超音波探触子の振動子各々に対する受信信号列を生成し、送信イベントごとに前記受信信号列を整相加算して音響線信号を生成する受信処理部と、合成音響線信号に係る最初の送信イベントから最新の送信イベントまでの前記音響線信号を前記対象領域内の各観測点に基づいて合成し中間合成音響線信号を生成する合成部と、前記中間合成音響線信号のエネルギー値から評価値を算出し、前記評価値に基づいて次の送信イベントを行うか否かを判断する評価部と、前記評価部が次の送信イベントを行わないと判断したとき、前記中間合成音響線信号を合成音響線信号として出力する出力部とを備えることを特徴とする。
【０１０５】
また、実施の形態に係る超音波信号処理方法は、複数の振動子を備えた超音波探触子を用いて被検体に焦点を結ばない非収束の超音波ビームを送信する送信イベントを複数回繰り返すとともに、各送信イベントに同期して被検体から反射超音波を受波し、受波した反射超音波に基づいて生成される複数の音響線信号を合成して合成音響線信号を得る超音波信号処理方法であって、超音波ビームの進行方向を送信イベントごとに変更しながら、被検体内に超音波ビームを送信イベントごとに前記超音波探触子に送信させ、各送信イベントに同期して、前記超音波探触子が前記被検体内の対象領域から受波した反射超音波に基づいて、前記超音波探触子の振動子各々に対する受信信号列を生成し、送信イベントごとに前記受信信号列を整相加算して音響線信号を生成し、合成音響線信号に係る最初の送信イベントから最新の送信イベントまでの前記音響線信号を前記対象領域内の各観測点に基づいて合成して中間合成音響線信号を生成し、前記中間合成音響線信号のエネルギー値から評価値を算出し、前記評価値に基づいて次の送信イベントを行うか否かを判断し、次の送信イベントを行わないと判断したとき、前記中間合成音響線信号を合成音響線信号として出力することを特徴とする。
【０１０６】
本開示によれば、上記構成により、音響線信号の合成数と合成音響線信号の品質との関係により送信回数を適用的に決定する。従って、一定水準以上の空間解像度を維持しながら送信回数を最小限に抑えることができ、空間解像度と時間解像度とを共に高くすることができる。
（２）また、上記（１）の超音波信号処理装置は、前記送信部は、連続する２回の送信イベントにおいて、２つの超音波ビームの進行方向は、前記超音波探触子の振動子が並ぶ向きの法線方向に対して逆側に延びるように超音波ビームの送信を行う、としてもよい。
【０１０７】
上記構成により、評価部が次の送信イベントを行わないと判断したときにおける送信イベントの回数にかかわらず、超音波探触子の振動子が並ぶ向きにおいて超音波ビームの進行方向が一方に偏ることを抑止することができ、超音波ビームの送信回数が超音波探触子の振動子が並ぶ向きの法線方向に対して非対称となることを抑止することができる。したがって、合成音響線信号の空間解像度が超音波探触子の振動子が並ぶ方向に不均一となることを抑止することができる。
【０１０８】
（３）また、上記（１）または（２）の超音波信号処理装置は、前記送信部は、送信イベントの順に、超音波ビームの進行方向と前記超音波探触子の振動子が並ぶ向きの法線方向とがなす角である送信角度の絶対値が大きく、または、同一となるように超音波ビームの送信を行う、としてもよい。
上記構成により、合成により中間合成音響線信号の空間解像度が向上しやすい音響線信号から順に合成され、評価部が次の送信イベントを行わないと判断したときにおける送信イベントの回数を小さくすることができる。
【０１０９】
（４）また、上記（１）〜（３）の超音波信号処理装置は、超音波ビームの進行方向と前記超音波探触子の振動子が並ぶ向きの法線方向とがなす角である送信角度を送信イベントごとに規定する送信角度列を記憶する送信角度記憶部をさらに備える、としてもよい。
（５）また、上記（４）の超音波信号処理装置は、前記送信角度記憶部は、２以上の送信角度列を記憶し、前記送信部は、前記対象領域の断面積、前記対象領域が前記被検体において占める位置、前記対象領域に含まれる組織の種類、のうち１以上に基づき、前記送信角度記憶部が記憶している送信角度列から１つの送信角度列を選択する、としてもよい。
【０１１０】
上記構成により、対象領域の特性に合わせて適した送信角度列を用いることができる。
（６）また、上記（１）〜（５）の超音波信号処理装置は、前記評価部は、送信角度が０度であるときの音響線信号のエネルギー値で、中間合成音響線信号のエネルギー値の変化量を正規化した値を前記評価値として算出し、前記評価値が所定の閾値以下であるとき、次の送信イベントを行わないと判断する、としてもよい。
【０１１１】
上記構成により、合成による中間合成音響線信号の空間解像度の向上をエネルギー変化に基づいて検出することができる。
（７）また、上記（１）〜（６）の超音波信号処理装置は、前記評価部は、所定範囲における前記中間合成音響線信号の振幅値の合計を前記中間合成音響線信号のエネルギー値とする、としてもよい。
【０１１２】
（８）また、上記（１）〜（６）の超音波信号処理装置は、前記評価部は、所定範囲における前記中間合成音響線信号を２次元フーリエ変換して得たフーリエデータにおけるスペクトルの総和を前記中間合成音響線信号のエネルギー値とする、としてもよい。
（９）上記（１）〜（６）の超音波信号処理装置は、前記評価部は、所定範囲における前記中間合成音響線信号から深さ方向の１次元音響線信号を生成し、前記１次元音響線信号を深さ方向に１次元フーリエ変換して得たフーリエデータにおけるスペクトルの総和を前記中間合成音響線信号のエネルギー値とする、としてもよい。
【０１１３】
これら上記の構成により、中間合成音響線信号のエネルギーの総和を用いて中間合成音響線信号の空間解像度を推定することができる。
（１０）また、上記（８）または（９）の超音波信号処理装置は、前記評価部は、前記フーリエデータが含むすべての周波数成分のスペクトルを前記中間合成音響線信号のエネルギー値の算出に用いる、としてもよい。
【０１１４】
（１１）また、上記（８）または（９）の超音波信号処理装置は、前記評価部は、前記フーリエデータが含む周波数成分のうち、所定の周波数帯に含まれる成分のスペクトルを前記中間合成音響線信号のエネルギー値の算出に用いる、としてもよい。
これら上記の構成により、中間合成音響線信号の特定の周波数成分に基づいて中間合成音響線信号の空間解像度を推定することができる。
【０１１５】
（１２）また、上記（７）〜（１１）の超音波信号処理装置は、前記評価部は、前記所定範囲を前記対象領域の全域とする、としてもよい。
（１３）また、上記（７）〜（１１）の超音波信号処理装置は、前記評価部は、前記所定範囲を前記対象領域の一部である着目領域とする、としてもよい。
これら上記の構成により、対象領域の全域または特定の一部に基づいて、中間合成音響線信号の空間解像度を推定することができる。
【０１１６】
（１４）また、上記（１）〜（１３）の超音波信号処理装置は、前記評価部が次の送信イベントを行わないと判断したとき、前記合成音響線信号の生成のために行った送信イベントの回数に応じて、次の合成音響線信号に係る送信イベントの開始時刻を変更する、としてもよい。
上記構成により、送信イベントの数に合わせて合成音響線信号の出力頻度であるフレームレートを向上させることができる。
【０１１７】
（１５）また、上記（１）〜（１４）の超音波信号処理装置は、前記評価部が次の送信イベントを行わないと判断したとき、前記合成音響線信号の生成のために行った送信イベントの回数を保持する制御部をさらに備え、前記制御部は、続く１回以上の合成音響線信号の生成において、保持している前記送信イベントの回数だけ前記送信部に超音波ビームを送信させ、前記評価部の判断にかかわらず、前記送信部に送信させた超音波ビームに対応する音響線信号を全て合成した前記合成音響線信号を前記出力部に出力させる、としてもよい。
【０１１８】
上記構成により、一部の合成音響線信号の生成についてのみ送信イベントの回数を評価部が決定し、続く合成音響線信号の生成においては、評価を省くことができる。
（１６）また、上記（１５）の超音波信号処理装置は、前記制御部は、送信イベントの回数を保持した後、続く所定回数の合成音響線信号の生成において、保持している前記送信イベントの回数だけ前記送信部に超音波ビームを送信させ、前記評価部の判断にかかわらず、前記送信部に送信させた超音波ビームに対応する音響線信号を全て合成した前記合成音響線信号を前記出力部に出力させ、さらに次の音響線信号の生成において、前記評価部に次の送信イベントを行うか否かを判断させる、としてもよい。
【０１１９】
上記構成により、送信イベント回数の決定を定期的に行うことができる。
（１７）また、上記（１５）または（１６）の超音波信号処理装置は、ユーザからの入力を受け付ける入力部をさらに備え、前記制御部は、前記入力部がユーザから送信回数の決定すべき指示を受け付けた場合に、前記評価部に次の送信イベントを行うか否かを判断させる、としてもよい。
【０１２０】
上記構成により、送信イベント回数の決定をユーザの指示に従って行うことができる。
（１８）また、上記（１）〜（１７）の超音波信号処理装置は、前記送信部は、波面が進行方向と直交する平面波の超音波ビームを送信する、としてもよい。
上記構成により、平面波の合成に関して本開示を適用できる。
【産業上の利用可能性】
【０１２１】
本開示に係る超音波信号処理装置、超音波診断装置、および、超音波信号処理方法は、超音波を用いた画像診断に有用である。特に、空間解像度と時間解像度を両立させることが可能となり、医療診断機器等において高い利用可能性を持つ。
【符号の説明】
【０１２２】
１００  超音波診断装置
１０１  超音波探触子
１０１ａ  振動子
１０３  表示部
１１０、２１０  超音波信号処理装置
１２０、２２０  制御部
１２１  送信角度列保持部
２２２  送信回数保持部
１３０  超音波送信部
１３１  パルス生成部
１３２  遅延プロファイル生成部
１３３  送信ビームフォーマ
１４０  切替部
１５０、２５０  超音波受信部
１５１  Ａ／Ｄ変換部
１５２  受信ビームフォーマ
１５３  合成部
１５４  音響線信号保持部
１５５、２５５  評価部
１５６  出力部
１６０  画像処理部
１７０  表示制御部
１０００  超音波診断システム
【図１】
0006642294.tif 000002
【図２】
0006642294.tif 000003
【図３】
0006642294.tif 000004
【図４】
0006642294.tif 000005
【図５】
0006642294.tif 000006
【図６】
0006642294.tif 000007
【図７】
0006642294.tif 000008
【図８】
0006642294.tif 000009
【図９】
0006642294.tif 000010
【図１０】
0006642294.tif 000011
【図１１】
0006642294.tif 000012
【図１２】
0006642294.tif 000013
【図１３】
0006642294.tif 000014
【図１４】
0006642294.tif 000015
【図１５】
0006642294.tif 000016